(57)【特許請求の範囲】
【請求項１】
地表下にコンクリートで後部壁(２)、前部壁(３)、両側部壁(４)、底部壁(５)により構築するとともに上部が開口(６)した横長な水路(１)の後部壁(２)から前部壁(３)にわたって、汚水の流入側から荒目スクリーン(３０)を有する荒目スクリーン部(１０)と沈砂排出部(１１)と細目スクリーン部(１２)と貯溜部(１３)とで構成した夾雑物除去用前処理装置において、荒目スクリーン(３０)の後部壁(２)寄りに、下部に通水孔(２１ａ)を形成した仕切カバー(２１)を設けて流入口室(２０)を形成し、流入口室(２０)に開口(６)の密閉蓋(８)を貫通して９０°ベンドの吐出管(２２)を配設し、吐出管(２２)の上端部を中継ポンプ(２３)を介して輸送管(２４)と接続し、下端部を後部壁(２)に所定の隙間を開けて対向させ、吐出管(２２)の吐出口(２５)と後部壁(２)との間にカーテン(２６)を配設したことを特徴とする農業集落排水処理装置における夾雑物除去用前処理装置。
【発明の詳細な説明】
【０００１】
【発明の属する技術分野】
この発明は農業集落排水処理装置における前処理装置としての夾雑物除去用前処理装置に関するものである。
【０００２】
【従来の技術】
従来より、家庭から排出される汚水すなわちし尿および生活排水は、道路に埋設された管路（下水管）を経て排水処理施設（装置）、例えば、間欠ばっ気式活性汚泥装置に輸送され処理される。この場合の管路は自然流下方式が一般的であるが、管路の埋設深さが深くなるため、土質条件や地下水の有無によっては、施工性が左右される問題がある。従って、中継ポンプによる圧送輸送が用いられている。しかし、排水処理施設（装置）の前段階でスクリーンを有する夾雑物除去装置が設けられることから、この装置への流入速度が早いため、そのままの流速では粗大し渣用荒目スクリーンで、し渣を確実に回収除去できないことがある。
【０００３】
【発明が解決しようとする課題】
この発明は、中継ポンプによる圧送の場合でも汚水、汚泥の流入流速を減少させて、し渣の除去を確実とした農業集落排水処理装置における夾雑物除去用前処理装置を提供することを目的とするものである。
【０００４】
【課題を解決するための手段】
上記の課題を解決するため、この発明の農業集落排水処理装置における夾雑物除去用前処理装置は、地表下にコンクリートで後部壁２、前部壁３、両側部壁４、底部壁５により構築するとともに上部が開口６した横長な水路１の後部壁２から前部壁３にわたって、汚水の流入側から荒目スクリーン３０を有する荒目スクリーン部１０と沈砂排出部１１と細目スクリーン部１２と貯溜部１３とで構成した夾雑物除去用前処理装置において、荒目スクリーン３０の後部壁２寄りに、下部に通水孔２１ａを形成した仕切カバー２１を設けて流入口室２０を形成し、流入口室２０に開口６の密閉蓋８を貫通して９０°ベンドの吐出管２２を配設し、吐出管２２の上端部を中継ポンプ２３を介して輸送管２４と接続し、下端部を後部壁２に所定の隙間を開けて対向させ、吐出管２２の吐出口２５と後部壁２との間にカーテン２６を配設したことを特徴とする。
【０００５】
【発明の実施の形態】
この発明の農業集落排水処理装置における夾雑物除去用前処理装置は、地表下に基礎コンクリートで所定幅に構築した上部が開口６された横長な水路１で、後部壁２、前部壁３、両側部壁４、底部壁５とよりなり、水路１は後部壁２から前部壁３にわたって、汚水の流入側から荒目スクリーン３０を有する荒目スクリーン部１０と沈砂排出部１１と細目スクリーン部１２と貯溜部１３とで構成された夾雑物除去用前処理装置において、荒目スクリーン３０の後部壁２寄りに仕切カバー２１を設けて形成した流入口室２０に、流入口室２０内に開口６を塞ぐ密閉蓋８を貫通して９０°ベンドの吐出管２２が配設され、吐出管２２の上端部に中継ポンプ２３を介して輸送管２４が接続され、下端部の吐出口２５は後部壁２に所定の隙間を開けて対向させ、仕切カバー２１の下部は通水孔２１ａが形成され、吐出口２５と後部壁２との間にカーテン２６が配設され、荒目スクリーン部１０の流入口室２０の下流側に荒目スクリーン３０を設けたものである。
【０００６】
なお、吐出管２２の吐出口２５を斜め下向きに切り落し、これにより、吐出口２５からの吐出流がやや下向き流となる。
【０００７】
【実施例】
この発明の一実施例について、図面を参照して説明する。図１〜図２において１はＧＬ下に基礎コンクリートで所定幅に構築した上部が開口６された横長な水路で、後部壁２、前部壁３、両側部壁４、底部壁５とよりなる。
水路１は後部壁２から前部壁３にわたって、順次荒目スクリーン部１０と沈砂排出部１１と細目スクリーン部１２と貯溜部１３とからなる。
沈砂排出部１１と細目スクリーン部１２および細目スクリーン部１２と貯溜部１３との間に仕切壁１４、１５により区画し、各仕切壁１４、１５には通水孔１６、１７が形成される。各部の開口６は蓋７により密閉する。
２０は荒目スクリーン部１０の後部壁２寄りに仕切カバー２１を設けて形成した流入口室で、流入口室２０内に開口６を塞ぐ密閉蓋８を貫通して９０°ベンドの吐出管２２を配設する。吐出管２２の上端部に中継ポンプ２３を介して輸送管２４が接続され、下端部の吐出口２５は後部壁２に所定の隙間を開けて対向させる。吐出口２５は斜め下向きに切り落される。これにより、吐出口２５からの吐出流がやや下向き流となる。仕切カバー２１の下部に通水孔２１ａを形成する。
吐出口２５と後部壁２との間にカーテン２６を配設する。カーテン２６は軟質ゴムあるいはビニール系のものである。
３０は荒目スクリーン部１０に水路１の幅一杯に配設した荒目スクリーンで、荒目スクリーン３０の下端部は底部壁に近接し、上端部は開口から上方に延出し、上端部の直下にし渣収容かご３１を設ける。
３２は荒目スクリーン３０とかご３１を囲むように覆ったスクリーンカバー、３３はかご３１を取り出す扉、３４は排気口である。また、４０は細目スクリーン、４１はし渣収容かごである。
【０００８】
流入口室２０により、中継ポンプ２３からの汚水の流速を緩やかにし、流入口室２０内での汚水の跳ね返りを防止してスクリーン３０でのし渣の除去を円滑にすることができる。
流入口室２０は水路１の幅に合わせ、汚水を吐出管２２の吐出口２５から水路１の後部壁２に向かって、直角に曲げて後部壁２に向けて放流し、軟質ゴムあるいはビニール系材質のカーテン２６に衝突させることにより、流速を落とす効果がある。
仕切りカバー２１の下部高さは吐出管２２の口径のおおよそ１．５倍とし、開口幅を水路１の全幅とする。汚水の跳ね返りの水流は、側部壁４および仕切りカバー２１で防止される。
中継ポンプ２３からの汚水の流速を流入口室２０内で落とすことにより、前段の荒目スクリーン３０でのし渣の除去率が向上する。
なお、基礎コンクリートの底部壁５を傾斜させて夾雑物の堆積を防止する。
【０００９】
【発明の効果】
この発明は、以上説明したような形態で実施されるので、以下に記載されるような効果を奏する。
荒目スクリーン部１０の後部壁２寄りに仕切カバー２１を設けて形成した流入口室２０に、流入口室２０内に開口６を塞ぐ密閉蓋を貫通して９０°ベンドの吐出管２２を配設し、吐出管２２の上端部に中継ポンプ２３を介して輸送管２４が接続し、下端部の吐出口２５を後部壁２に所定の隙間を開けて対向させ、仕切カバー２１の下部に通水孔２１ａを形成し、吐出口２５と後部壁２との間にカーテン２６が配設され、荒目スクリーン部１０の流入口室（減勢室）２０の下流側に荒目スクリーン３０を設けたので、中継ポンプによる圧送の場合でも汚水の流速が減少し、荒目スクリーン３０でのし渣の除去を確実にすることができる。
【図面の簡単な説明】
【図１】  この発明の実施例に係る夾雑物除去用前処理装置の縦断面図。
【図２】    この発明の一実施例に係る夾雑物除去用前処理装置のの縦断面図。
【符号の説明】
１  水路
２  後部壁
３  前部壁
４  側部壁
５  底部壁
１０  荒目スクリーン部
１１  沈砂排出部
１２  細目スクリーン部
１３  貯溜部
２０  流入口室
２１  仕切りカバー
２２  吐出管
２３  中継ポンプ
２４  輸送管
２５  吐出口
３０  荒目スクリーン
【図１】
0003673141.tif 000002
【図２】
0003673141.tif 000003